(57)【特許請求の範囲】
【請求項１】
中綴じ折り部を先頭にして搬入した冊子を載置する載置台と、前記載置台へ搬入する前記冊子を縦方向に案内するとともに、載置台に中綴じ折り部を当接して縦方向に載置した冊子の開きを抑制する上下移動可能のガイド板と、前記載置台上に中綴じ折り部を当接して搬入された前記冊子を該載置台上に沿って押し出すプッシャー板と、前記プッシャー板により押し出された前記冊子を受けながら該冊子の厚み分後退するバックアップ板と、前記プッシャー板により押し出された前記冊子を前記プッシャー板の後退時に支える前記載置台上に出没可能の保持板を備え、前記載置台上に搬入した前記冊子を順次押し当て整列させてなることを特徴とする冊子の縦整列装置。
【発明の詳細な説明】
【０００１】
【発明の属する技術分野】
本発明は、順次搬送されてくる冊子を受け取って整列させる冊子の整列装置、特に中綴折製本された冊子の縦整列を可能にする冊子の縦整列装置に関するものである。
【０００２】
【従来の技術】
製本物の一つとして、冊子の中央部を針金で綴じ、綴じた箇所を２つ折りしたものがある。このような製本物を作成する場合、例えば頁毎に印刷された紙葉（以下、この紙を含め用紙という。）を一冊分揃えて集積する用紙集積機、一冊分集積した用紙束を針金で綴じる用紙綴じ機、綴じ後の用紙束を折り曲げる用紙折機、折り曲げた用紙束の端縁（小口部や天地部）を切り揃える断裁機、断裁した用紙束を受け取り貯溜する冊子受機を用意し、これらの各機械を順次通過させて製本するようにしている。
【０００３】
この場合、これらの各機械を印刷機の排出口から近接して一列に配列設置し、印刷機の排出された用紙を各機械を順次通過させて製本するようにすると、用紙や冊子の搬送が便利となるが、各機械を一列に配列設置するには広いスペースを必要とし、スペースが狭い場合には各機械を別置きにしなければならず、その間の用紙や冊子の搬送に手間がかかり面倒であるという問題がある。
【０００４】
この問題を解消するためにできる限り各機械の小型化を図り、各機械を一つの箱内に無駄なスペースを低減して設置した製本装置が開発されている。図５はこのように開発された製本装置（公知でない）の概略の構成を示すもので、この図において、１は印刷機、２は製本装置である。製本装置２は最上段位置に用紙綴じ機構３が配置され、その下段にこの製本装置では表紙や差し込み用紙を供給する２段の給紙機構４および５が配置されている。下段の給紙機構５の下部に断裁機構８と断裁した用紙束を受け取り貯溜する冊子受機構６が配置され、端部に縦方向に伸びる用紙折機構７が配置されている。また、用紙搬入位置に補助用紙などを供給する給紙機構１１が配置されている
【０００５】
用紙綴じ機構３は、用紙を綴じ針で綴じるステッチャー３ａと搬入されてくる用紙を停止して位置決めするストッパ３ｂを備え、ステッチャー３ａは平綴じ（用紙の一端縁を綴じる。）、コーナー綴じ（用紙の一隅を綴じる。）および中綴じ（用紙の中央を綴じる。）に応じ、その位置を変更する移動可能（図は中綴じ位置にある場合を示している。）とされ、ストッパ３ｂは綴じる用紙のサイズなどに応じて、用紙の搬送方向前後に移動可能、かつ綴じ後の用紙束を搬出する際は搬送路から退避可能に構成されている。
【０００６】
すなわち、用紙綴じを行なうとき、用紙のサイズに応じた位置にストッパ３ｂを搬送路上に突出させ、ステッチャー３ａを綴じ位置にセットしておき、ストッパ３ｂに印刷機１から送出され、搬入ローラ１０ａおよび送りローラ１０ｂを介して搬送されてくる用紙９および適宜給紙機構４、５、１１から送りローラ１０ｂを介して搬送されてくる用紙を当接して位置決めし、１冊分の用紙を集積するとステッチャー３ａを駆動して１冊分の用紙束を綴じる。
【０００７】
綴じ後、ストッパ３ｂは搬送路から退避し、綴じた用紙束、つまり冊子９ａを用紙折機構７へ搬送方向を縦方向に変更して搬出する。なお、折り処理しない場合、例えば綴じ処理しない場合や平綴じ、コーナー綴じを別の箇所で行なう場合には方向変更することなくそのまま次ぎの工程へ搬出するように構成されている。
【０００８】
用紙折機構７は、左右に移動可能の折刃７ａと一対の加圧搬送ローラ７ｂ、折り曲げ位置に応じて上下に移動する移動可能のストッパ７ｃおよび冊子９ａを案内保持する縦方向に配置された一対のガイド板７ｄを備え、この一対のガイド板間に案内されて搬入され、ストッパ７ｃに当接して位置決めされた冊子９ａの折り曲げ位置に折刃７ａを当てて一対の加圧搬送ローラ７ｂ間に圧入して冊子９ａを折り曲げる。折り曲げ後の冊子９ａは断裁機構８へ搬出する。
【０００９】
断裁機構８は、上下に移動する移動可能の断裁刃８ａを備え、折り曲げ後の冊子９ａを適宜位置決めし、断裁刃８ａを駆動し、この製本装置では冊子９ａの小口を切り揃える。切り揃えた冊子９ａは冊子受機構６へ搬出する。冊子受機構６は搬入ローラ６ａおよび冊子９ａを載置する載置台６ｂを備え、搬入した冊子９ａをこの載置台６ｂ上に縦置きまたは横置きして貯溜する。なお、図は縦置きした場合を示している。
【００１０】
以上のように構成された製本装置では、印刷機などから搬入した用紙を綴じ位置で一冊分集積するので、そのための別途の用紙集積機を省略することができる。また、綴じ後の冊子の搬送方向を用紙折位置で折り機能を利用して用紙搬入口方向へ反転して断裁および貯溜するのでスペースが効率的に利用でき、製本（綴じ折り）に要する機械の設置スペースを大幅に低減することができる。
【００１１】
【発明が解決しようとする課題】
ところで、中綴折された冊子は背面に膨らみがあり、また押さえ付けても弾力もあるので、縦置きに詰めて整列させることが困難である。そのために中綴折された冊子の排出は専ら搬送ベルト上にさしみ状（半重ね状態）に並べて排出するか、簡易なものではバケットへ重ねる形で放り出す方式が採用されている。しかし、上記の製本装置ように一つの箱内に綴じ折りに要する機械のすべてを収納すると冊子を貯溜するスペースが狭く、載置台上に重ねる形で放り出す（図４参照）排出では多数の冊子を貯溜することができないとという問題がある。また、縦置きに詰めて整列させるとより多数の冊子を貯溜することができるが、そのための作業を必要とし手間がかかるという問題がある。
【００１２】
本発明はこのような問題に鑑みなされれたもので、手間を要さずに特に中綴じ折りされた冊子を縦置きに詰めて整列させることを可能にし、狭いスペースにより多数の冊子を貯溜することのできる冊子の縦整列装置を提供することを目的とする。
【００１３】
【課題を解決するための手段】
請求項１に係る本発明は、冊子の縦整列装置において、中綴じ折り部を先頭にして搬入した冊子を載置する載置台と、前記載置台へ搬入する前記冊子を縦方向に案内するとともに、載置台に中綴じ折り部を当接して縦方向に載置した冊子の開きを抑制する上下移動可能のガイド板と、前記載置台上に中綴じ折り部を当接して搬入された前記冊子を該載置台上に沿って押し出すプッシャー板と、前記プッシャー板により押し出された前記冊子を受けながら該冊子の厚み分後退するバックアップ板と、前記プッシャー板により押し出された前記冊子を前記プッシャー板の後退時に支える前記載置台上に出没可能の保持板を備え、前記載置台上に搬入した前記冊子を順次押し当て整列させてなることを特徴とする。
【００１５】
本発明では、横向きに搬送されてくる冊子を搬入して載置台上に縦置きに整列する場合、プッシャー板の押し出し移動距離分プッシャー板から離れた位置にバックアップ板を位置させ、ガイド板を下方に移動して冊子の横向きを縦向きに変更し、プッシャー板とバックアップ板間に冊子を搬入する。搬入後プッシャー板はその冊子を押し出しバックアップ板に押し当て、バックアップ板ともに押し出しプッシャー板は最大の移動距離位置に達してもとの位置に復帰する。
【００１６】
バックアップ板はプッシャー板の最大の移動距離位置から冊子の厚み分後退して停止し、その位置で冊子の片面を保持する。プッシャー板がもとの位置に復帰するとき保持板（プッシャー板の押し出し最大移動距離位置で出没する。）は突出して冊子の他方の片面を保持する。この操作が冊子の搬入毎に繰り返され、これにより冊子を縦置きに詰めて整列させることができる。また、搬入の際、ガイド板で冊子の一端を保持すると搬入時の冊子の開きを防ぐことができる。
【００１７】
また、本発明では、横向きに搬送されてくる冊子を搬入してそのまま載置台上に重ねることもできる。この場合、ガイド板を上方に移動して置き、保持板を退避させた状態を保持し、またプッシャー板の移動を停止させて固定し、バックアップ板を後退させてバックアップ板とプッシャー板との間を広げておき、その間に横向きに搬送されてくる冊子を放り出す。
【００１８】
【発明の実施の形態】
以下、本発明の実施の形態について図を参照して説明する。図１は実施の形態に係る冊子の縦整列装置の使用状態を示す断面図、図２は同平面図、図３は同側面図、図４は他の使用状態を示す断面図である。なお、図１および図４は図２の平面図におけるＡーＡ断面図である。
【００１９】
図２において、２１は載置台、２２はプッシャー板、２２ａは切欠き部、２３はバックアップ板、２３ａは一方向ロック機構、２３ｂはロック解除レバー、２３ｃは渦巻きばね、２４は保持板、２４ｂはコイルばね、２４ｃは支持軸、２５はガイド棒、２６はモーター、２７は回転軸、２７ａはカム、２８はクランク軸、２７ａ、２８ｃは偏心板、２８ｂはクランクアーム、２９はガイド板、２９ａは揺動軸、２９ｂはカム、２９ｄは揺動支点軸、２９ｅはばね、２９ｆはクランク角検出センサーである。また図１に示す６ａは搬入ローラ、８ａは断裁刃、８ｂは断裁部の位置決め搬送装置、９ａは冊子、さらに図３に示す２９ｃはカム従動子である。
【００２０】
載置台２１には、下部内側に相対する側壁間にまたがって２本の平行するガイド棒２５が設置されている。このガイド棒２５に摺動可能にプッシャー板２２およびバックアップ板２３が嵌め込まれている。プッシャー板２２はクランク軸２８の偏心板２８ａの偏心ピンに一端を連結したクランクアーム２８ｂの他端と連結しており、クランク軸２８の回転によりプッシャー板２２はガイド棒２５に沿って往復移動する。
【００２１】
バックアップ板２３は載置台２１の端部に固定した渦巻きばね２３ｃの端部が固定され、このばねによりバックアップ板２３はプッシャー板２２の方向に移動するように附勢されている。この附勢による移動を阻止するためにバックアップ板２３のガイド棒２５の摺動部に一方向ロック機構２３ａを設け、バックアップ板２３を任意の位置に固定できるようにしており、この固定はロック解除レバー２３ｂを操作、たとえばバックアップ板２３に当接するように操作することにより解除される。
【００２２】
保持板２４は平面視コ字状をなす板体の先端部から上向きに延ばして形成され、コ字状の板体基部が載置台２１の側壁に回転自在に固定された支持軸２４ｃに固定され、ばね２４ｂにより支持軸２４ｃを支点に保持板２４は載置台２１の表面上に突出するようにされている。そして支持軸２４ｃの近くでクランク軸２８の偏心板２８ｃと当接しており、クランク軸２８の回転により保持板２４は載置台２１の表面上に出没する。この出没はプッシャー板２２の移動と関連し、プッシャー板２２の押出し移動時には載置台２１表面から退避し、プッシャー板２２の復帰時載置台２１表面から突出する。なお、プッシャー板２２には保持板２４との干渉を避けるため保持板２４と対向する面に切欠き２２ａが形成されている。
【００２３】
クランク軸２８はモータ２６により回転する回転軸２７に連結されている。回転軸２７の端部には、ガイド板２９を上下に移動するカム２９ｂが固定されている。ガイド板２９は揺動軸２９ａの先端に固定されている。揺動軸２９ａは他端が図示しない装置の枠などに回転自在に固定された揺動支点軸２９ｄに支持され、ばね２９ｅにより先端が下方に位置するように附勢されている。この実施の形態ではガイド板２９が下方に位置するとき、ガイド板２９で比較的高い冊子９ａの場合に搬入した冊子９ａの一端を保持する。この保持により搬入時の冊子の開きを防ぐことができる。
【００２４】
そして、この附勢力に抗するように揺動軸２９ａは図３に示すように、カム２９ｂのカム従動子２９ｃに連結支持されている。このカム２９ｂの回転により揺動軸２９ａを揺動させガイド板２９を上下に移動する。この移動はプッシャー板２２の移動と関連し、プッシャー板２２の押出し移動時には上方に移動し、プッシャー板２２がもとの位置に復帰すると下方に移動する。この場合、ガイド板２９により断裁部から横向きに搬送されてくる冊子９ａを図１に示すように、縦向きに変更して載置台２１上に搬入する。
【００２５】
すなわち、横向きに搬送されてくる冊子９ａを搬入して載置台１上に縦置きに整列する場合、プッシャー板２２を待期位置に置き、バックアップ板２３を適宜ロックを解除してプッシャー板２２の最大押し出し移動距離位置にセットする。この位置は保持板２４が出没する位置であり、この実施の形態では、当初バックアップ板２３は保持板２４の後ろ側にほぼ重ねられた状態となる。このセット後、横向きに搬送されてくる冊子９ａをガイド板２９により縦向きに変更してプッシャー板２２とバックアップ板２３（正確には、保持板２４）間に冊子９ａを搬入する。
【００２６】
この搬入とほぼ同時に、モータ２６を回転駆動しプッシャー板２２を駆動して搬入された冊子９ａを押し出す。また、ほぼ同時にガイド板２９を上方に移動し、保持板２４を載置台２１の下方に退避させる。プッシャー板２２は冊子９ａを押しつづけて冊子９ａをバックアップ板２３に押し当て、バックアップ板２３とともにさらに押し出しバックアップ板２３が冊子９ａの厚み分後退した位置、つまりプッシャー板２２が最大の移動距離位置に達したとき、プッシャー板２２はもとの位置に復帰する。
【００２７】
バックアップ板２３は厚み分後退した位置にロック機構２３ａの作用により停止し固定され、その位置で冊子９ａの片面を保持する。プッシャー板２２がもとの位置に復帰するとき保持板２３は載置台２１上に突出して冊子９ａの他方の片面を保持する。この操作が冊子９ａが搬入される毎に繰り返され、これにより冊子９ａを縦置きに詰めて整列させることができる。なお、縦向きに搬送されてくる冊子９ａを搬入して載置台２１上に縦置きに整列する場合は、ガイド板２９を上方に移動して適宜ロックして置き、同様にプッシャー板２２とバックアップ板２３間にその冊子を搬入し、同様の動作を行なうようにすればよい。
【００２８】
また、この実施の形態では、横向きに搬送されてくる冊子を搬入してそのまま載置台２１上に重ねることもできる。この場合、図４に示すように、モータ２６を回転駆動しプッシャー板２２を少し押出し、同時にガイド板２９を上方に、保持板２４を載置台２１の下部に退避させた状態でモータ２６を停止して固定する。そして、バックアップ板２３を適宜距離後退させてバックアップ板２３とプッシャー板２２との間を広げておき、その間に横向きに搬送されてくる冊子９ａを放り出すことにより行なうことができる。
【００２９】
なお、これら動作、つまりプッシャー板２２の待期位置の停止動作などは、クランク角検出センサー２９ｆからの信号に基づき、図示しない制御装置でモータ２６の回転を制御することにより行なう。
【００３０】
【発明の効果】
以上詳述したように本発明によれば、プッシャー板により冊子をバックアップ板に押し当て、保持板で保持しながら順々に詰めて整列させるので、中綴じ折りされた冊子であっても手間を要さずに縦置きに詰めて整列させることが可能になる。これによりスペースの有効利用が図れ、省スペース化された製本装置の効率が高められ、延いては製本装置のコストの低減を図ることができる。
【図面の簡単な説明】
【図１】本発明の実施の形態に係る冊子の縦整列装置の使用状態を示す断面図である。
【図２】本発明の実施の形態に係る冊子の縦整列装置の平面図である。
【図３】本発明の実施の形態に係る冊子の縦整列装置の側面図である。
【図４】本発明の実施の形態に係る冊子の縦整列装置の使用状態を示す断面図である。
【図５】製本装置（綴じ折り製本）の全体構成説明用の概略構成図である。
【符号の説明】
６ａ  搬入ローラ
８ａ  断裁刃
８ｂ  断裁部の位置決め搬送装置
９ａ  冊子、
２１  載置台
２２  プッシャー板
２２ａ  切欠き部
２３  バックアップ板
２３ａ  一方向ロック機構
２３ｂ  ロック解除レバー
２３ｃ  渦巻きばね
２４    保持板
２４ｂ  ばね
２４ｃ  支持軸
２５  ガイド棒
２６  モーター
２７  回転軸
２７ａ  カム
２８  クランク軸
２７ａ、２８ｃ  偏心板
２８ｂ  クランクアーム
２９  ガイド板
２９ａ  揺動軸
２９ｂ  カム
２９ｃ  カム従動子
２９ｄ  揺動支点軸
２９ｅ  ばね
２９ｆ  クランク角検出センサ
【図１】
0004246330.tif 000002
【図２】
0004246330.tif 000003
【図３】
0004246330.tif 000004
【図４】
0004246330.tif 000005
【図５】
0004246330.tif 000006